(57)【要約】【課題】ゴルフクラブの取り外し等が簡単に行えると共に、長期に亘り安定して使用することができ、また展示具自体に高級感が得られて展示されているゴルフクラブの印象を高めることが可能なゴルフクラブ展示具を提供する。【解決手段】パター等のゴルフクラブの磁性体からなるシャフトが嵌装可能な溝を有する本体と、該本体内で溝の底面側に配置されたマグネットと、を備え、本体の溝内にシャフトを嵌装すると共に該シャフトをマグネットで吸着させることにより、ゴルフクラブを所定状態で展示する。前記本体は、縦長に形成されて該本体に縦方向に一本の溝が形成されると共に該溝の長手方向に複数個のマグネットが配置され、また、溝の内面に緩衝材が設けられたり、本体が傾動手段によって支持部材に傾動可能に取り付けられる。【選択図】図１
2008000568.tif 000002
【特許請求の範囲】
【請求項１】
ゴルフクラブの磁性体からなるシャフトが嵌装可能な溝を有すると共に、該溝の底面側にマグネットが配置された本体を備え、
前記本体の溝内に前記シャフトを嵌装すると共に該シャフトをマグネットで吸着させることにより、前記ゴルフクラブを所定状態で展示してなることを特徴とするゴルフクラブ展示具。
【請求項２】
前記本体が縦長に形成され、該本体に縦方向に一本の溝が形成されると共に該溝の長手方向に複数個のマグネットが配置されていることを特徴とする請求項１に記載のゴルフクラブ展示具。
【請求項３】
前記本体が略方形状に形成され、該本体に縦方向に複数本の溝が形成されると共に該各溝の長手方向に複数個のマグネットがそれぞれ配置されていることを特徴とする請求項１に記載のゴルフクラブ展示具。
【請求項４】
前記溝の内面に緩衝材が設けられていることを特徴とする請求項１ないし３のいずれかに記載のゴルフクラブ展示具。
【請求項５】
前記本体が傾動手段によって支持手段に傾動可能に取り付けられていることを特徴とする請求項１ないし４のいずれかに記載のゴルフクラブ展示具。
【請求項６】
前記本体が樹脂、金属等の剛性材で形成され、その溝内面が曲面で形成されて光の反射機能を有することを特徴とする請求項１ないし５のいずれかに記載のゴルフクラブ展示具。
【発明の詳細な説明】
【技術分野】
【０００１】  本発明は、例えばゴルフクラブとしてのパター等を販売のために展示するゴルフクラブ展示具に関する。
【背景技術】
【０００２】  従来、長尺物としてのゴルフクラブの展示具としては、例えば特許文献１に開示されている。この展示具は、板状の表示部とその長手方向両端部に設けた取付部とで細長くて四角い有底箱状に形成され、取付部に切込溝を設けると共に、一方の切込溝にスポンジ等からなるずれ止め部材を取り付けたものである。そして、ゴルフクラブのシャフトを各取付部の切込溝に押し込んでずれ止め部材でズレを防止することにより、ゴルフクラブを所定状態で展示するようにしたものである。
【特許文献１】  特開２００２−３６６０４３号公報
【発明の開示】
【発明が解決しようとする課題】
【０００３】  しかしながら、このような展示具にあっては、表示部や取付部が紙で形成され、各取付部の切込溝に紙の変形を利用して押し込む構成であるため、展示具自体の耐久性が劣り、例えば展示されているクラブを客が何回が取り出しているうちに破損したり劣化する虞がある等、展示具を長期に亘り安定して使用することが困難である。また、展示具自体が紙製であるがゆえに、全体に高級感に乏しく見栄えの面でも劣り、該展示具により展示される高級ゴルフクラブの印象を低下させ易い。【０００４】  本発明は、このような事情に鑑みてなされたもので、その目的は、ゴルフクラブの取り外し等が簡単に行えると共に、長期に亘り安定して使用することができるゴルフクラブ展示具を提供することにある。また、他の目的は、前記目的に加え、展示具自体に高級感が得られて展示されているゴルフクラブの印象を高めることが可能なゴルフクラブ展示具を提供することにある。
【課題を解決するための手段】
【０００５】  かかる目的を達成すべく、本発明のうち請求項１に記載の発明は、ゴルフクラブの磁性体からなるシャフトが嵌装可能な溝を有すると共に、該溝の底面側にマグネットが配置された本体を備え、前記本体の溝内に前記シャフトを嵌装すると共に該シャフトをマグネットで吸着させることにより、前記ゴルフクラブを所定状態で展示してなることを特徴とする。【０００６】  また、請求項２に記載の発明は、前記本体が縦長に形成され、該本体に縦方向に一本の溝が形成されると共に該溝の長手方向に複数個のマグネットが配置されていることを特徴とし、請求項３に記載の発明は、前記本体が略方形状に形成され、該本体に縦方向に複数本の溝が形成されると共に各溝の長手方向に複数個のマグネットがそれぞれ配置されていることを特徴とする。さらに、請求項４に記載の発明は、前記溝の内面に緩衝材が設けられていることを特徴とし、請求項５に記載の発明は、前記本体が傾動手段によって支持手段に傾動可能に取り付けられていることを特徴とする。また、請求項６に記載の発明は、前記本体が樹脂、金属等の剛性材で形成され、その溝内面が曲面で形成されて光の反射機能を有することを特徴とする。
【発明の効果】
【０００７】  本発明のうち請求項１に記載の発明によれば、本体に形成された溝内にゴルフクラブの磁性体からなるシャフトが嵌装すると共に、このシャフトをマグネットで吸着させてゴルフクラブを所定状態で展示するため、マグネットによりゴルフクラブの取り外し等が簡単に行えると共に、本体によりゴルフクラブを長期に亘り安定して支持することができる。【０００８】  また、請求項２に記載の発明によれば、請求項１に記載の発明の効果に加え、本体が縦長に形成され、該本体に縦方向に一本の溝が形成されると共に、該溝に複数個のマグネットが配置されているため、一本の縦溝を有する本体により１本のゴルフクラブを確実に安定展示することができる。【０００９】  また、請求項３に記載の発明によれば、請求項１に記載の発明の効果に加え、本体が略方形状に形成され、この本体に縦方向に複数本の溝が形成されると共に各溝の長手方向に複数個のマグネットが配置されているため、一つの本体に複数本のゴルフクラブを同時に展示できると共に、溝間の間隔寸法を所定に設定することにより、ゴルフクラブの展示効率を高めることもできる。【００１０】  さらに、請求項４に記載の発明によれば、請求項１ないし３に記載の発明の効果に加え、溝の内面に緩衝材が設けられているため、緩衝材によりゴルフクラブのシャフトへの傷付きを確実に防止できると共にシャフトの滑り等も防止して、一層安定した展示状態を得ることができる。【００１１】  また、請求項５に記載の発明によれば、請求項１ないし４に記載の発明の効果に加え、本体が傾動手段によって支持手段に傾動可能に取り付けられているため、ゴルフクラブの展示角度を所望に設定できて、展示の見栄えを向上させて高級ゴルフクラブの印象低下を一層防止したり、展示効率自体の一層の向上を図ることができる。【００１２】  また、請求項６に記載の発明によれば、請求項１ないし５に記載の発明の効果に加え、本体が樹脂、金属等の剛性材で形成され、その溝内面が曲面で形成されて光の反射機能を有するため、剛性を有する本体に高級感が得られると共に溝内面の光反射機能でゴルフクラブを浮かび上がらせること等ができて、展示されているゴルフクラブの印象をより一層高めることができる。
【発明を実施するための最良の形態】
【００１３】  以下、本発明の実施の形態を図面に基づいて詳細に説明する。
図１〜図４は、本発明に係わるゴルフクラブ展示具の一実施形態を示し、図１がその一部を破断した斜視部、図２がその側面図、図３がその正面図、図４が本体の変形例を示す要部拡大図である。【００１４】  図１に示すように、ゴルフクラブ展示具１（以下、展示具１という）は、本体２と、この本体２を支持する支持装置３（支持手段）等によって構成されている。前記本体２は、図２〜図４に示すように、例えばアクリル材等からなる透明な樹脂材によって所定長さの角柱状に形成され、その前面２ａには、長手方向に沿って断面略半円弧形状で平滑な曲面形状の溝４が形成されている。また、この溝４の底面側の本体２内には、その長手方向に沿って略等間隔で例えば４個の円盤状のマグネット５が埋め込まれると共に、溝４の内面には、シリコン等の弾性を有する樹脂からなる緩衝材６が固着されている。なお、溝４の内径は、ゴルフクラブとしてのパター７のシャフト７ａが嵌装し得る大きさでかつ長手方向の全域において略同一内径に設定されている。【００１５】  そして、この本体２の背面２ｂの長手方向の略中央部には、前記支持装置３が連結されている。この支持装置３は、図１に示すように、本体２の背面２ｂに固着された支持パイプ３ａと、この支持パイプ３ａの端部が所定角度を有して固定された水平方向の横パイプ３ｂと、この横パイプ３ｂの例えば長手方向両端部に下方に向けて延設された縦パイプ３ｃと、この縦パイプ３ｃの下端部に固定されその上面に人工芝等のクッション材３ｅが固着された基板３ｄ等で構成されている。【００１６】  この時、支持装置３の横パイプ３ｂには、複数本の支持パイプ３ａが長手方向に沿って略等間隔で固定されることにより、支持装置３に複数の本体２が支持されて、展示具１に複数本のパター７が展示可能となっている。また、支持装置３の縦パイプ３ｃの高さ寸法は、一般的なパター７のシャフト７ａの上部が本体２の溝４に嵌装し得る寸法に設定され、横パイプ３ｂの長さは、展示するパター７の本数に応じて適宜に設定されている。なお、この例では、支持装置３を横パイプ３ｂや縦パイプ３ｃ等により構成したが、例えば支持装置３としての支持パイプ３ａを展示場の壁面に直接固定したり、各パイプの代わりに角材を使用する等、支持装置３の構成として他の適宜の構造を採用することができる。【００１７】  このように構成された展示具１は、図１に示すように、支持装置３に予め本体２を支持させ、その基板３ｄを展示場の所定位置の床面上に載置することにより設置される。この時、本体２は、支持パイプ３ａの横パイプ３ｂに対する固定角度を所定に設定することにより、本体２の上部が後方側に位置し下部が前方側に位置するように若干傾斜状態とされており、この傾斜状態の本体２に対して、その前方の基板３ｄのクッション材３ｅ上にパータ７のヘッド７ｂを載置すると共に、パター７のシャフト７ａを後方側が回動させてその上部を本体２の溝４に嵌装する。【００１８】  このシャフト７ａの溝４への嵌装により、スチール製の磁性体からなるシャフト７ａが溝４の底面に配置されているマグネット５により、緩衝材６を介して吸着されて溝４内に保持され、パター７が図１に示すように展示具１によって展示される。つ��り、この展示具１によれば、パター７をセットする場合は、ヘッド７ｂをクッション材３ｅ上においてシャフト７ａを溝４内に入れるだけで行うことができ、また、パター７を取り出す場合は、シャフト７ａをマグネット５の吸着力以上の力で前方に引っ張ることによって行うことができ、パター７の展示具１へのセットや取り出しが略ワンタッチで行えることになる。【００１９】  ところで、以上の例においては、細長い角柱状に形成した本体２の長手方向（縦方向）に１本の溝４を形成し、この本体２を横パイプ３ｂに複数個並設状態で支持させたが、例えば図５に示すように、本体２を所定面積を有する正面視で略方形状に形成し、この本体２に複数本（図では３本）の溝４を所定間隔を有して縦方向に形成して、前記支持パイプ３ａの本数を低減させることもできる。また、図１の二点鎖線で示すように、支持装置３の横パイプ３ｂを上下に複数設けて、この横パイプ３ｂに本体２を固定することにより、１本のパター７のシャフト７ａを上下２つの本体２で支える構成としても良く、この場合、上下の本体２の角度は異なるように設定しても良いし同一に設定しても良い。【００２０】  このように、上記実施形態の展示具１にあっては、本体２の前面２ａに溝４を形成すると共に、この溝４の底面側にマグネット５が配置されているため、溝４内に磁性体からなるシャフト７ａを嵌装することで該シャフト７ａをマグネット４に吸着させてパター７を所定状態で展示できると共に、マグネット５によりパター７の取り外しも簡単に行うことができる。また、本体２が、アクリル材からなる角柱形状に形成されているため、本体２自体に所定の剛性を確保できると共に、シャフト７ａのセットや取り外し時に、従来のように溝を変形させる必要がなくなり、本体２（すなわち展示具１）の耐久性を大幅に高めて、パター７を長期に亘り安定して展示することができる。【００２１】  また、本体２を縦長に形成し縦方向に一本の溝４が形成されると共に、溝４に複数個のマグネット５が配置されているため、一本の縦溝を有する本体２により１本のパター７を確実に支持して安定展示することができる。この時、図５に示すように、本体２を略方形状に形成して、この本体に縦方向に複数本の溝４を形成するようにすれば、一つの本体２に複数本のパター７を同時に展示できたり、溝４間の間隔寸法を所定に設定することにより、パター７の展示効率を高めることができると共に、支持装置４の構成を簡略化して安価な展示具１を得ることが可能となる。また、上下２つの本体２で１本のシャフト７ａを支えるようにすれば、パター７の展示状態をより一層安定化させることができる。【００２２】  さらに、本体２の溝４の内面に緩衝材６が設けられているため、この緩衝材６によりパター７のシャフト７ａへの傷付きを確実に防止できると共に、シャフト７ａの滑り等も防止して一層安定した展示状態を得ることができる。また、本体２がアクリル樹脂等の透明材で形成され、その溝４内面が曲面で形成されているため、溝４の内面に光の反射機能を持たせることができて、剛性を有する本体２によって高級感が得られると共に光反射機能でパター７を浮かび上がらせることができる等、展示されているパター７の印象を一層高めることが可能となる。【００２３】  図６は、本発明に係わる展示具の他の実施形態を示す側面図である。以下、上記実施形態と同一部位には、同一符号を付して説明する。この実施形態の展示具１の特徴は、前記本体２を支持装置３に対して傾動可能に連結した点にある。すなわち、本体２の背面２ｂに支持棒３ｆの一端を固定しこの支持棒３ｆの他端を金属球３ｇに固定すると共に、金属球３ｇの外周面を支持装置３の縦パイプ３ｃ上端に固定され上面が球面形状に形成されたマグネット３ｈに吸着させる。この金属球３ｇのマグネット３ｈへの吸着により金属球３ｇがマグネット３ｈの内周面に沿って３６０度傾動可能となり、この金属球３ｇの傾動により、本体２が例えば図６の二点鎖線イや三点鎖線ロで示す位置に設定される。【００２４】  この展示具１においても、本体２の溝４に設けたマグネット５によりパター７のシャフト７ａを吸着できて、上記実施形態と同様の作用効果が得られる他に、本体２の角度を前後方向や左右方向に傾動させることができ、パター７の展示角度を最適位置に設定できることになる。この例の場合、本体２の傾動機構は、金属球３ｇとマグネット３ｈの使用に限らず、例えば本体２を屈曲可能なフレキシブル部材（図示せず）で支持させることで、本体２を所定方向に傾動させることもできる。【００２５】  なお、本発明に係わる展示具１は、上記した各実施形態に限定されるものではなく、次のような変形例も包含するものである。すなわち、上記実施形態においては、透明なアクリル材からなる本体２の溝４内面を平滑な曲面としたが、例えば溝４の内面に微細凹凸部を設けて展示用照明装置の光を乱反射させて光による演出効果を一層高めたり、本体２にパター７の種類やメーカ等の文字を刻印、印刷してその意匠性を高めたり、あるいは、本体２として透明材ではなく、半透明やステンレス材を使用したり適宜の色彩を施して、その意匠性を高めること等もできる。【００２６】  また、上記各実施形態における、本体２の形状、溝４の本数や形状等の形態、マグネット５の個数や形状、支持装置３の構成等も一例であって、例えば断面三角形状の溝４を使用したり、板状の１枚のマグネット５を使用する等、本発明に係わる各発明の要旨を逸脱しない範囲において適宜に変更することができる。
【産業上の利用可能性】
【００２７】  本発明は、ゴルフクラブとしてのパターの展示に限らず、例えばシャフトがスチールのウッドやアイアン等の他のゴルフクラブ等の展示にも適用できる。
【図面の簡単な説明】
【００２８】
【図１】  本発明に係わるゴルフクラブ展示具の一実施形態を示す展示状態の側面図
【図２】  同本体部分の正面図
【図３】  同図２のＡ−Ａ線矢視図
【図４】  同図２のＢ−Ｂ線矢視図
【図５】  同本体の変形例を示す図２と同様の正面図
【図６】  本発明に係わるゴルフクラブ展示具の他の実施形態を示す側面図
【符号の説明】
【００２９】  １・・・ゴルフクラブ展示具、２・・・本体、２ａ・・・前面、２ｂ・・・背面、３・・・支持装置、３ａ・・支持パイプ、３ｂ・・・横パイプ、３ｃ・・・縦パイプ、３ｄ・・・基板、３ｅ・・・クッション材、３ｆ・・・支持棒、３ｇ・・・金属球、３ｈ・・・マグネット、５・・・マグネット、６・・・緩衝材、７・・・パター、７ａ・・・シャフト、７ｂ・・・ヘッド。
【図１】
2008000568.tif 000003
【図２】
2008000568.tif 000004
【図３】
2008000568.tif 000005
【図４】
2008000568.tif 000006
【図５】
2008000568.tif 000007
【図６】
2008000568.tif 000008